(57)【要約】【課題】外部機器がホストとなって通信を行う際に、電池の電力残量に応じて、通信を制御可能な携帯型電子機器を提供する。【解決手段】携帯型電子機器１は、ホストＰＣ２がホストとなり通信を行う場合に、充電池１５の電力残量に基づいてホストＰＣ２に応答しないことで接続を解除することができる。また、接続を解除することにより、電力残量不足に起因するＨＤＤ１７のアクセスエラーを回避でき、メディアデータ１７ｂの破損を防ぐことができる。【選択図】図１
2008243001.tif 000002
【特許請求の範囲】
【請求項１】
外部と接続されてデータを送受信するとともに外部から電力供給を受ける通信部と、
前記外部から受信したデータを記憶する記憶部と、
前記通信部を介して充電可能な充電池と、
前記通信部を介してデータの送受信を実行中に、前記充電池の電力残量を検知し、前記電力残量に基づいて前記通信部と前記外部との接続を解除する制御部とを有することを特徴とする携帯型電子機器。
【請求項２】
前記制御部は、前記通信部と前記外部との接続を解除後、前記通信部を介して前記充電池を充電することを特徴とする請求項１に記載の携帯型電子機器。
【請求項３】
前記制御部は、前記外部に対して応答しないことで前記通信部と前記外部に接続を断つように動作させることを特徴とする請求項１に記載の携帯型電子機器。
【請求項４】
前記記憶部は、メモリとＨＤＤ（Ｈａｒｄ  Ｄｉｓｃ  Ｄｒｉｖｅ）とを有し、
前記通信部と前記外部との接続を解除した後、解除前に前記通信部から受信して前記メモリに一時的に保存されたデータを前記ＨＤＤに保存することを特徴とする請求項１に記載の携帯型電子機器。
【請求項５】
外部と接続されてデータを送受信するとともに外部から電力供給を受ける通信部と、
前記外部から受信したデータを記憶する記憶部と、
前記通信部を介して充電可能な充電池と、
前記通信部を介してデータの送受信の実行中に、前記充電池の電力残量を検知し、前記電力残量に基づいて前記通信部と前記外部との通信を一時停止するための要求信号を送信する制御部とを有することを特徴とする携帯型電子機器。
【請求項６】
前記制御部は、前記通信部と前記外部との通信を一時停止した後、前記通信部を介して前記充電池を充電することを特徴とする請求項５に記載の携帯型電子機器。
【請求項７】
前記制御部は、前記充電池が予め定められた電力量を確保すると、前記通信部と前記外部との通信を再開するための要求信号を前記外部へ送信することを特徴とする請求項６に記載の携帯型電子機器。
【請求項８】
前記制御部は、前記通信部と前記外部との通信を再開する際、前記外部に記憶された一時停止情報に基づいてデータ送信を再開するための要求信号を送信することを特徴とする請求項７に記載の携帯型電子機器。
【請求項９】
前記記憶部は、メモリとＨＤＤとを有し、
前記通信部と前記外部との通信を一時停止後、一時停止前に前記通信部から受信して前記メモリに一時的に保存されたデータを前記ＨＤＤに保存することを特徴とする請求項５に記載の携帯型電子機器。
【請求項１０】
外部と接続されてデータを送受信するとともに外部から電力供給を受ける通信部と、
前記外部から受信したデータを記憶する記憶部と、
前記通信部を介して充電可能な充電池と、
前記充電池の電力残量を検知し、前記電力残量に基づいて前記通信部と外部との接続開始を決定する制御部とを有することを特徴とする携帯型電子機器。
【請求項１１】
前記制御部は、前記通信部と前記外部との接続を許可しなかった場合、前記通信部を介して前記充電池を充電することを特徴とする請求項１０に記載の携帯型電子機器。
【請求項１２】
前記制御部は、前記充電池が予め定められた電力量を確保すると、前記通信部と前記外部との接続を許可することを特徴とする請求項１１に記載の携帯型電子機器。
【発明の詳細な説明】
【技術分野】
【０００１】
本発明は、携帯型電子機器に関する。
【背景技術】
【０００２】
従来の技術として、電子機器上で動作するソフトウェアを更新する際、ソフトウェアの更新内容に応じて消費電力量が異なる場合に、その消費電力量と電子機器が有する電池の電力残量とに応じて、ソフトウェア更新作業を実行するかどうか決定する電子機器がある（例えば、特許文献１参照）。
【０００３】
この電子機器は、内蔵された電池または外部電源から電力供給元を選択して切り替える電源入力部と、ソフトウェア更新用のプログラムを記憶する外部メモリカードを挿抜可能なカードスロット部と、電源入力部とカードスロット部とを制御する制御部とを有し、制御部は、電源入力部が電力供給元として電池を選択している場合に、電源入力部を介して電池の電力残量を検知するとともに、カードスロット部からメモリカードのプログラムを参照して、その更新作業に必要な消費電力量を計算し、電池の電力残量がプログラムの実行に必要な消費電力量より大きい場合にのみソフトウェア更新作業の実行を許可する。
【０００４】
この電子機器は、電力残量が消費電力より小さい場合には、ソフトウェア更新作業の実行を拒否するため、電力不足によるソフトウェア更新作業の失敗およびデータの破損を防止できる。また、電力残量に予め定められた閾値を設けて電子機器の動作を判断する場合と異なり、電池の電力残量が少ない場合でも消費電力量が少ない更新内容であれば電池の電力残量の範囲内で更新を実行することができる。
【特許文献１】特開２００５−１８２２６５号公報
【発明の開示】
【発明が解決しようとする課題】
【０００５】
しかし、従来の電子機器によると、電子機器のカードスロットに装着されたメモリカードに更新用のプログラムがある場合、すなわち、電子機器内部にプログラムを有する場合には、電池の電力残量に応じてプログラムの実行制御ができるが、例えば電子機器と外部機器とで通信し、外部機器が通信のホストになって動作を実行する場合、すなわち、電子機器内部にプログラムを有さない場合には、自ら実行の権限を有しないために同様の手法を用いて電池の電力残量に応じて通信の実行制御ができないという問題がある。
【０００６】
従って、本発明の目的は、外部機器がホストとなって通信を行う際に、充電池の電力残量に応じて、通信を制御可能な携帯型電子機器を提供することにある。
【課題を解決するための手段】
【０００７】
（１）本発明は上記目的を達成するため、外部と接続されてデータを送受信するとともに外部から電力供給を受ける通信部と、前記外部から受信したデータを記憶する記憶部と、前記通信部を介して充電可能な充電池と、前記通信部を介してデータの送受信を実行中に、前記充電池の電力残量を検知し、前記電力残量に基づいて前記通信部と前記外部との接続を解除する制御部とを有することを特徴とする携帯型電子機器を提供する。
【０００８】
上記した構成によれば、携帯型電子機器は、外部がホストとなって通信を行う場合に、充電池の電力残量に基づいて外部との接続を解除することができる。また、接続を解除することにより、充電池の電力残量不足に起因する記憶部のアクセスエラーを回避でき、データの破損を防ぐことができる。
【０００９】
（２）また、本発明は上記目的を達成するため、外部と接続されてデータを送受信するとともに外部から電力供給を受ける通信部と、前記外部から受信したデータを記憶する記憶部と、前記通信部を介して充電可能な充電池と、前記通信部を介してデータの送受信の実行中に、前記充電池の電力残量を検知し、前記電力残量に基づいて前記通信部と前記外部との通信を一時停止するための要求信号を送信する制御部とを有することを特徴とする携帯型電子機器を達成する。
【００１０】
上記した構成によれば、外部に対し携帯型電子機器が要求信号を送信することで、接続を解除させることなく充電池の状態に応じて携帯型電子機器と外部との通信状態を制御することができる。
【００１１】
（３）また、本発明は上記目的を達成するため、外部と接続されてデータを送受信するとともに外部から電力供給を受ける通信部と、前記外部から受信したデータを記憶する記憶部と、前記通信部を介して充電可能な充電池と、前記充電池の電力残量を検知し、前記電力残量に基づいて前記通信部と外部との接続開始を決定する制御部とを有することを特徴とする携帯型電子機器を提供する。
【００１２】
上記した構成によれば、外部と接続する前に、携帯型電子機器において充電池の電力残量に応じて接続の許可または禁止を決定するため、外部が通信のホストとなる場合であっても、携帯型電子機器は自己の接続を制御できる。
【発明の効果】
【００１３】
本発明によれば、充電池の電力残量に応じて安全に外部機器と通信できる。
【発明を実施するための最良の形態】
【００１４】
以下に、本発明の携帯型電子機器の実施の形態を、図面を参照して詳細に説明する。
【００１５】
〔第１の実施の形態〕
（構  成）
図１は、本発明の第１の実施の形態に関する携帯型電子機器およびホストＰＣを示す概略図である。
【００１６】
この携帯型電子機器１および外部機器としてのホストＰＣ（Ｐｅｒｓｏｎａｌ  Ｃｏｍｐｕｔｅｒ）２は、ＵＳＢ（Ｕｎｉｖｅｒｓａｌ  Ｓｅｒｉａｌ  Ｂｕｓ）ケーブル３を介して接続されており、ホストＰＣ２から携帯型電子機器１に向けてデータ信号３０および電力信号３１が送信され、携帯型電子機器１からホストＰＣ２に向けてデータ信号３２が送信される構成となっている。なお、ここでいう接続とは、ＵＳＢケーブル３が携帯型電子機器１およびホストＰＣ２にそれぞれ差し込まれているだけでなく、携帯型電子機器１およびホストＰＣ２がお互いの接続を認識している状態のことである。
【００１７】
携帯型電子機器１は、ＵＳＢケーブル３と接続するＵＳＢ端子１０と、文字や図形等からなる画像を表示する映像出力部１１と、音声を出力するスピーカ、ヘッドホン、イヤホン等の外部音声出力器である音声出力部１２と、複数の操作スイッチからなる操作部１３と、ＡＣアダプタ等の外部電源を接続して外部から電力供給が可能な電源端子１４とを有する。
【００１８】
ホストＰＣ２は、文字や図形等の情報からなる画像を表示する映像出力部２０と、マウスやキーボート等の入力デバイスからなる入力装置２２と、ＨＤＤ（Ｈａｒｄ  Ｄｉｓｃ  Ｄｒｉｖｅ）やＣＰＵ等の電子部品を有する本体２８とを有し、本体２８の背面に設置された図示しないＵＳＢ端子とＵＳＢケーブル３が接続される。
【００１９】
図２は、本発明の第１の実施の形態に関する携帯型電子機器の構成を示すブロック図である。
【００２０】
携帯型電子機器１は、ＵＳＢケーブル３に接続されてデータを送受信するとともに電力の供給を受けるＵＳＢ端子１０と、文字や図形等の情報からなる画像を表示する映像出力部１１と、スピーカ、ヘッドホン、イヤホン等の外部音声出力器を介して外部に音声を出力する音声出力部１２と、複数のスイッチからなる操作部１３と、ＡＣアダプタ等の外部電源を接続して外部より電力供給を受ける電源端子１４と、ＵＳＢ端子１０または電源端子１４から電力供給を受けることにより充電可能な充電池１５と、外部から受信したデータを一時的に記憶するメモリ１６と、メモリ１６に一時的に記憶されたデータを受信して記憶可能なＨＤＤ１７とを有する。
【００２１】
また、携帯型電子機器１は、ＵＳＢ端子１０に接続されてデータ送受信を制御するＵＳＢ制御部１０Ａと、映像出力部１１と音声出力部１２に画像および音声を出力する映像／音声処理部１１Ａと、ＵＳＢ端子１０または電源端子１４から電力供給を受けて各部へ電力を供給する電力供給部１４Ａと、電力供給部１４Ａから電力供給を受けることにより充電池１５を充電するとともに充電池１５の電力残量を監視する充電制御部１５Ａと、各部を制御するＣＰＵ１８とを有する。
【００２２】
ＨＤＤ１７は、ホストＰＣ２からＵＳＢケーブル３およびＵＳＢ端子１０を介してデータを送受信するためにＣＰＵ１８上で動作してホストＰＣ２と通信するデータ転送プログラム１７ａと、ホストＰＣ２から受信した転送データであるメディアデータ１７ｂとを格納する。なお、ここでいう通信とは、携帯型電子機器１とホストＰＣ２が接続された上で、お互いにデータを送信できる状態、およびお互いに呼びかけや応答を送信できる状態のことである。
【００２３】
図３は、本発明の第１の実施の形態に関するホストＰＣの構成を示すブロック図である。
【００２４】
ホストＰＣ２は、文字や図形等の情報からなる画像を表示する映像出力部２０と、スピーカ、イヤホン等の外部音声出力器を介して外部に音声を出力する音声出力部２１と、マウスおよびキーボード等の入力デバイスからなる入力装置２２と、ＵＳＢケーブル３に接続されてデータを送受信するとともに外部に電力を供給するＵＳＢ端子２３と、外部へデータを送信する際にデータを一時的に記憶するメモリ２４と、データを記憶可能なＨＤＤ２５と、外部より電力供給を受ける電源部２６とを有する。
【００２５】
また、ホストＰＣ２は、映像出力部２０と音声出力部２１に画像および音声を出力する映像／音声処理部２０Ａと、ＵＳＢ端子２３に接続されてデータ送受信を制御するＵＳＢ制御部２３Ａと、ホストＰＣ２の各部およびＵＳＢ端子２３へ電力を供給する電力供給部２６Ａと、各部を制御するＣＰＵ２７とを有する。
【００２６】
メモリ２４は、データを送信中に送信を一時停止した場合、その履歴であるレジュームポイントとしての一時停止情報２４ａを記憶する。
【００２７】
ＨＤＤ２５は、ＵＳＢ端子２３およびＵＳＢケーブル３を介して携帯型電子機器１と通信するためにＣＰＵ２７上で動作して転送データを外部機器と送受信するデータ転送プログラム２５ａと、外部機器に送信するための音声、画像、動画等のコンテンツデータであるメディアデータ２５ｂとを格納する。
【００２８】
（動  作）
以下に、本発明の第１の実施の形態における携帯型電子機器の動作を各図を参照しつつ説明する。
【００２９】
携帯型電子機器１とホストＰＣ２とをＵＳＢケーブル３によって接続すると、まずホストＰＣ２がホストとなり、データ転送プログラム２５ａが携帯型電子機器１に対してネゴシエーションを開始する。携帯型電子機器１のデータ転送プログラム１７ａは、データ転送プログラム２５ａのネゴシエーションに応答し、呼びかけと応答のタイミングおよび通信速度等の通信設定を決定する。データ信号３０とデータ信号３２は、携帯型電子機器１とホストＰＣ２とのやりとりにおいて送信される信号であり、電力信号３１は、ホストＰＣ２から携帯型電子機器１に電力として供給される信号である。
【００３０】
ネゴシエーション終了後、ホストＰＣ２を操作することにより、データ転送プログラム２５ａは、ＵＳＢ端子２３を介してメディアデータ２５ｂを携帯型電子機器１に送信する。送信の際、通信速度を向上させるために、メディアデータ２５ｂは、一旦メモリ２４に保存された後、ＣＰＵ２７およびＵＳＢ制御部２３Ａを介して外部に転送データとして送信される。
【００３１】
ホストＰＣ２によって送信されたメディアデータ２５ｂは、ＵＳＢ端子１０を介してデータ転送プログラム１７ａによって携帯型電子機器１に転送データとして受信され、メディアデータ１７ｂとしてＨＤＤ１７に格納される。受信の際、通信速度を向上させるために、受信した転送データは、一旦メモリ１６に保存された後、ＨＤＤ１７に書き込まれる。
【００３２】
転送データの通信中、ＵＳＢケーブル３を介して、ホストＰＣ２から携帯型電子機器１に電力が供給され、供給された電力は電力供給部１４Ａに入力され、電力供給部１４Ａは携帯型電子機器１の各部に電力を供給する。転送データの通信中は、ＵＳＢケーブル３を介して供給された電力以上の電力がＨＤＤ１７において消費されるため、電源端子１４を介して電力が供給されていない場合、不足している電力は充電池１５から補給される。以下、電源端子１４を介して電力が供給されていない条件の下で本実施の形態の説明を進めていく。
【００３３】
図４は、本発明の第１の実施の形態に関する携帯型電子機器の動作を示すフローチャートである。
【００３４】
まず、携帯型電子機器１は、ＵＳＢケーブル３を介してホストＰＣ２から転送データを受信すると、受信応答をホストＰＣ２に送信し、メモリ１６に転送データを格納する（Ｓ１０）。ＣＰＵ１８は、充電制御部１５Ａを介して充電池１５の電力残量を監視しており、転送データの転送が完了する前に（Ｓ１１；Ｎｏ）、充電池１５の電力残量が不足したと察知すると（Ｓ１２；Ｙｅｓ）、ＵＳＢ制御部１０Ａは、受信応答をホストＰＣ２に送信するのを停止する（Ｓ１４）。具体的に、受信応答の停止は、ＵＳＢケーブル３を介した携帯型電子機器１とホストＰＣ２との接続により形成されるデータラインの状態をプルダウンして実行される。
【００３５】
ホストＰＣ２は、受信応答が一定時間返信されないと携帯型電子機器１との接続を解除する（Ｓ１４）。携帯型電子機器１は、ホストＰＣ２との接続が解除されると、メモリ１６に一時的に保存された転送データをＨＤＤ１７にメディアデータ１７ｂとして保存する（Ｓ１５）。
【００３６】
次に、携帯型電子機器１は、映像出力部の輝度を低下させたり、ＨＤＤ１７の回転数を低下させたりして電力の消費を抑制する省電力モードに移行し（Ｓ１６）、充電制御部１５Ａは、ＵＳＢケーブル３を介してホストＰＣ２から供給される電力によって充電池１５を充電する（Ｓ１７）。
【００３７】
（第１の実施の形態の効果）
上記した第１の実施の形態によると、携帯型電子機器１は、ホストＰＣ２がホストとなり通信を行う場合に、充電池１５の電力残量に基づいてホストＰＣ２に応答しないことで接続を解除することができる。また、接続を解除することにより、充電池１５の電力残量不足に起因するＨＤＤ１７のアクセスエラーを回避でき、メディアデータ１７ｂの破損を防ぐことができる。
【００３８】
〔第２の実施の形態〕
（動  作）
図５は、本発明の第２の実施の形態に関する携帯型電子機器およびホストＰＣの動作を示すフローチャートである。なお、以下の説明において、第１の実施の形態と同一の構成および機能を有する部分については共通の符号を付している。
【００３９】
本実施の形態において、携帯型電子機器１とホストＰＣ２は、ネゴシエーションの際にホストＰＣ２が携帯型電子機器１に定期的に呼びかけを行い、携帯型電子機器１は充電池１５が電力低下した場合、充電池１５の電力が復帰した場合に応答することで電力残量状態を通知するように設定し、設定はデータ転送プログラム１７ａおよびデータ転送プログラム２５ａに反映されるものとする。
【００４０】
まず、ホストＰＣ２は、メディアデータ２５ｂをメモリ２４に一時的に保存した後、ＣＰＵ２７、ＵＳＢ制御部２３ＡおよびＵＳＢ端子２３を介してメディアデータ２５ｂを転送データとして携帯型電子機器１へ送信する（Ｓ１００）。
【００４１】
携帯型電子機器１は、ＵＳＢケーブル３を介してホストＰＣ２から転送データを受信すると、受信応答をホストＰＣ２に送信し、メモリ１６に転送データを格納する（Ｓ１０１）。ＣＰＵ１８は、充電制御部１５Ａを介して充電池１５の電力残量を監視しており、充電池１５の電力残量が低下したと検知すると（Ｓ１０２）、ホストの定期的な呼びかけの際に電力低下応答をホストＰＣ２に送信する（Ｓ１０３）。
【００４２】
ホストＰＣ２は、電力低下応答を受信すると（Ｓ１０４）、送信していた転送データのレジュームポイントである一時停止情報をメモリ２４に記憶し（Ｓ１０５）、携帯型電子機器１へ転送データを送信するのを停止する（Ｓ１０６）。
【００４３】
携帯型電子機器１は、ホストＰＣ２からの転送データが途絶えると、転送データの受信を停止し（Ｓ１０７）、メモリ１６に一時的に保存された転送データをＨＤＤ１７にメディアデータ１７ｂとして保存する（Ｓ１０８）。
【００４４】
次に、携帯型電子機器１の充電制御部１５Ａは、ＵＳＢケーブル３を介してホストＰＣ２から供給される電力によって充電池１５の充電を開始する（Ｓ１０９）。
【００４５】
携帯型電子機器１は、充電池１５を充電開始した後、予め定められた値、例えば転送データ通信時に５分間動作するのに十分な電力量まで充電池１５の電力量を確保できたと充電制御部１５Ａが判断した場合（Ｓ１１０）、ホストＰＣ２の定期的な呼びかけの際に電力確保応答を送信する（Ｓ１１１）。
【００４６】
ホストＰＣ２は、携帯型電子機器１から電力確保応答を受信すると（Ｓ１１２）、携帯型電子機器１に対して一時停止していた転送データの送信を再び許可し（Ｓ１１３）、メモリ２４に記憶していた一時停止情報２４ａを読み込みレジュームポイントから転送データの送信を再開する（Ｓ１１４）。
【００４７】
携帯型電子機器１は、再び送信されてきた転送データを受信して受信応答を送信する（Ｓ１１５）。
【００４８】
（第２の実施の形態の効果）
上記した第２の実施の形態によると、ホストＰＣ２が呼びかけに応じて携帯型電子機器１が応答することで、接続を解除させることなく携帯型電子機器１の充電池１５の状態に応じてホストＰＣ２のデータ転送プログラム２５ａの動作を決定でき、携帯型電子機器１とホストＰＣ２との通信状態を制御することができる。
【００４９】
また、転送データ送信の履歴である一時停止情報２４ａをメモリ２４に記憶することにより、レジュームポイントよりデータ転送を再開することができるため、データ転送を最初からやり直すことなく、データ転送に要する時間を最低限に抑えることができる。
【００５０】
〔第３の実施の形態〕
（動  作）
図６は、本発明の第３の実施の形態に関する携帯型電子機器の動作を示すフローチャートである。
【００５１】
まず、携帯型電子機器１とホストＰＣ２とをＵＳＢケーブル３によって接続すると（Ｓ１２０）、ホストＰＣ２と携帯型電子機器１とがネゴシエーションを開始する前に、携帯型電子機器１は、充電制御部１５Ａにアクセスして充電池１５の電力残量を確認する（Ｓ１２１）。
【００５２】
充電池１５の電力残量がある閾値以下、例えばデータ転送動作を５分継続できるだけの電力以下、である場合（Ｓ１２２；Ｙｅｓ）、データ転送プログラム１７ａは、ＵＳＢ制御部１０Ａに対してＵＳＢケーブル３を介したホストＰＣ２との接続を禁止する（Ｓ１２３）。
【００５３】
携帯型電子機器１とホストＰＣ２は、通信を行うための接続はされていないが、ＵＳＢケーブル３によって接続されているため、携帯型電子機器１は、ＵＳＢケーブル３を介してホストＰＣ２から供給される電力によって充電池１５を充電する（Ｓ１２４）。
【００５４】
携帯型電子機器１は、充電制御部１５Ａによって充電池１５の電力残量を監視してデータ転送動作を５分継続できるだけの電力を確保したと判断した場合（Ｓ１２５；Ｙｅｓ）、または、Ｓ１２３においてすでに電力が確保されていた場合（Ｓ１２３；Ｎｏ）、データ転送プログラム１７ａは、ＵＳＢ制御部１０Ａに対してＵＳＢケーブル３を介してホストＰＣ２との接続を許可する（１２６）。
【００５５】
（第３の実施の形態の効果）
上記した実施の形態によると、ホストＰＣ２とネゴシエーションを開始する前に携帯型電子機器１内において、充電池１５の電力残量に応じて接続の許可または禁止を決定するため、ホストＰＣ２が通信のホストとなる場合であっても、携帯型電子機器１は自己の接続を制御できる。
【００５６】
また、充電池１５の電力を確保した場合は、ホストＰＣ２との接続を許可するため、ＨＤＤ１７のデータを破壊することなく安全にデータ転送ができるようになる。
【図面の簡単な説明】
【００５７】
【図１】本発明の第１の実施の形態に関する携帯型電子機器およびホストＰＣを示す概略図である。
【図２】本発明の第１の実施の形態に関する携帯型電子機器の構成を示すブロック図である。
【図３】本発明の第１の実施の形態に関するホストＰＣの構成を示すブロック図である。
【図４】本発明の第１の実施の形態に関する携帯型電子機器の動作を示すフローチャートである。
【図５】本発明の第２の実施の形態に関する携帯型電子機器およびホストＰＣの動作を示すフローチャートである。
【図６】本発明の第３の実施の形態に関する携帯型電子機器の動作を示すフローチャートである。
【符号の説明】
【００５８】
１…携帯型電子機器、２…ホストＰＣ、３…ＵＳＢケーブル、１０…ＵＳＢ端子、１０Ａ…ＵＳＢ制御部、１１…映像出力部、１１Ａ…映像／音声処理部、１２…音声出力部、１３…操作部、１４…電源端子、１４Ａ…電力供給部、１５…充電池、１５Ａ…充電制御部、１６…メモリ、１７…ＨＤＤ、１７ａ…データ転送プログラム、１７ｂ…メディアデータ、１８…ＣＰＵ、２０…映像出力部、２０Ａ…音声処理部、２１…音声出力部、２２…入力装置、２３…ＵＳＢ端子、２３Ａ…ＵＳＢ制御部、２４…メモリ、２４ａ…一時停止情報、２５…ＨＤＤ、２５ａ…データ転送プログラム、２５ｂ…メディアデータ、２６…電源部、２６Ａ…電力供給部、２７…ＣＰＵ、２８…本体、３０…データ信号、３１…電力信号、３２…データ信号
【図１】
2008243001.tif 000003
【図２】
2008243001.tif 000004
【図３】
2008243001.tif 000005
【図４】
2008243001.tif 000006
【図５】
2008243001.tif 000007
【図６】
2008243001.tif 000008